(57)【要約】【課題】本発明は収縮できる懐中電灯を開示した。【解決手段】本発明は収縮できる懐中電灯を開示し、手持ちロッドを含み、前記手持ちロッドの中には反対に開口したランプチャンバが左右に対称的に設置されており、前記ランプチャンバの上側内壁の中には上に開口したランプスライド溝が左右に貫通し且つ連通して設置されており、前記手持ちロッドの中には伸縮装置が設置されており、前記手持ちロッドの上側には取付けボードが設置されており、前記取付けボードの中には連接装置が設置されており、前記手持ちロッドの右側と後側には転向装置が設置されており、本発明は結構が簡単で、操作が便利で、側部のランプによって全方位の照明を実現できるだけじゃなく、それに集光灯を手動にいかなる角度にも調整でき、それにランプを伸縮でき、死角をもっと深く照明できる。【選択図】図１
2020181791.tif 000002
【特許請求の範囲】
【請求項１】
収縮できる懐中電灯であって、手持ちロッドを含み、前記手持ちロッドの中には反対に開口したランプチャンバが左右に対称的に設置されており、前記ランプチャンバの上側内壁の中には上に開口したランプスライド溝が左右に貫通し且つ連通して設置されており、前記手持ちロッドの中には伸縮装置が設置されており、前記手持ちロッドの上側には取付けボードが設置されており、前記取付けボードの中には連接装置が設置されており、前記手持ちロッドの右側と後側には転向装置が設置されており、前記伸縮装置は前記手持ちロッドの中に設置される上に開口した伸縮棒チャンバを含み、前記伸縮棒チャンバの中には手動軸がスライド且つ回転できるように設置されており、前記手動軸の下端が前記伸縮棒チャンバの下端開口の外に伸び出ており、前記手動軸の中には離脱槽が上に開口して設置されており、前記離脱槽の中には噛合輪が回転できるように設置されており、前記噛合輪の上端にはネジボルトが固定的に連結され、前記手動軸の上端には噛合ボードが固定的に連結され、前記噛合ボードの中には噛合穴が上下に貫通して設置されており、前記噛合穴は前記噛合輪に噛み合って連結され、前記ネジボルトの上端が前記噛合穴を貫通して伸縮棒とネジ山連結され、前記伸縮棒チャンバの円周面側の弓形の内壁の中にはリセット溝が連通して設置されており、前記リセット溝の中にはリセットスライダがスライドできるように設置されており、前記手動軸と前記リセットスライダとがスライドできるように連結され、前記リセットスライダの下端と前記リセット溝の下側内壁との間には均一に分布される四つのリセット撥条が固定的に連結され、前記手動軸の中には電池が固定的に設置され、
前記手動軸を下へ引っ張って前記噛合輪と前記噛合ボードとを噛み合って連結させ、前記手動軸を回し、前記噛合輪によって前記ネジボルトを回転連動させ、それにより前記伸縮棒を上昇させることを特徴とする収縮できる懐中電灯。
【請求項２】
前記連接装置は前記伸縮棒の上端に固定的に連結される取付けボードを含み、前記取付けボードの中にはスライダチャンバが左右に対称的に設置されており、前記スライダチャンバの中にはスライダがスライドできるように設置されており、前記スライダのうち中心に近接している一端と前記スライダチャンバのうち中心に近接している一側内壁との間には横向き撥条が固定的に連結され、前記スライダチャンバの上側内壁の中には誘導槽が連通して設置されており、前記誘導槽の中にはガイドスライダがスライドできるように設置されており、前記ガイドスライダの下端と前記スライダの上端との間には縦向き撥条が固定的に連結され、両側の前記スライダの中には反対に開口した係止槽が設置されており、前記スライダチャンバのうち中心から離れている一側内壁の中には反対に開口した係止ブロックチャンバが連通し合って設置されており、前記係止ブロックチャンバの中には係止ブロックがスライドできるように設置されており、前記係止ブロックと前記係止ブロックチャンバの内壁との間の摩擦力は前記縦向き撥条の弾力より大きく且つ前記横向き撥条の弾力より小さく、前記スライダチャンバの下側内壁の中には下に開口した通し溝が連通し合って設置され、前記スライダチャンバの下端には内ランプが固定的に連結され、前記内ランプの中には導電槽が下に開口して設置されており、前記内ランプの下端が前記ランプチャンバの中に挿入されており、前記ランプチャンバの中には外ランプが固定的に設置されており、前記外ランプは前記内ランプのうち中心に離れている一側に位置し、
前記伸縮棒が前記取付けボードを上へスライド連動させ、それにより前記内ランプを上へスライド連動させ、前記横向き撥条と前記縦向き撥条との弾力によって、前記内ランプは前記導電槽によって前記外ランプに電気的に接続されることを特徴とする請求項１に記載の収縮できる懐中電灯。
【請求項３】
前記転向装置は前記手持ちロッドと固定的に連結される固定ボードを含み、前記固定ボードの中には二本の外軸が回転できるように設置されており、前記外軸はそれぞれ前記手持ちロッドの右側と後側に位置し、前記外軸の下端には回転輪が固定的に連結され、前記外軸の中には噛合槽が上に開口して設置されており、前記噛合槽の中には内軸がネジ山により連結され、前記内軸の上側には前記取付けボードに固定的に連結される歯車箱が設置されており、前記歯車箱の中には歯車チャンバが設置されており、前記内軸の上端が前記歯車チャンバの中に伸びており且つ下傘歯車と固定的に連結され、前記下傘歯車のうち中心に近接している一端には連接軸が固定的に連結され、前記取付けボードの中には上に開口したロール槽が設置されており、前記ロール槽の中には自在輪が転がれるように設置されており、前記ロール槽の中には位置制限ブロックがスライドできるように設置されており、前記位置制限ブロックの中には抜き穴が上下に貫通して設置されており、前記連接軸が前記ロール槽の中に伸びており且つ摩擦ボードと固定的に連結され、前記摩擦ボードが前記自在輪の表面に当接し、前記自在輪の上端には集光ボードが固定的に連結され、前記集光ボードの中には集光槽が上に開口して設置されており、前記集光槽の下側内壁には集光灯が固定的に連結され、
前記回転輪を回し、歯車伝動によって前記摩擦ボードを回転連動させ、それにより前記摩擦ボードと前記自在輪との間の摩擦力によって前記自在輪を連動させて転がらせ、それにより前記集光ボードを回転連動させて前記集光灯の角度を調整することを特徴とする請求項１又は請求項２に記載の収縮できる懐中電灯。
【請求項４】
前記噛合ボードの上端には導電ボードが固定的に連結され、前記導電ボードが前記電池に電気的に連結され、前記伸縮棒チャンバの左右両側内壁の中には連接ブロックが対称的に固定的に設置され、
前記連接ブロックが前記外ランプと前記内ランプとに電気的に連結され、前記導電ボードと前記連接ブロックとが接触すると導電し、離脱すると導電しなく、前記集光灯が前記導電ボードに電気的に連結されることを特徴とする請求項１又は請求項２又は請求項３に記載の収縮できる懐中電灯。
【発明の詳細な説明】
【技術分野】
【０００１】
本発明は照明の分野を取り上げて、具体的には収縮できる懐中電灯である。
【背景技術】
【０００２】
部屋の中には光が届けない狭い死角があり、物品が死角に落ちたら、一般的な懐中電灯は死角をはっきり照らせなく、そのため光を集めて収縮できる懐中電灯を設計する必要があり、本装置は全面的に照らせるだけじゃなく、それに光を手動で任意な角度に調節でき、ランプを伸縮でき、死角をもっと深く照らせる。
【先行技術文献】
【特許文献】
【０００３】
【特許文献１】中国特許出願公開第１０３４２３６０５号明細書
【発明の概要】
【発明が解決しようとする課題】
【０００４】
本発明の解決すべきの技術問題は収縮できる懐中電灯を提供し、それが上記現有の技術の問題を解決できる。
【課題を解決するための手段】
【０００５】
本発明における収縮できる懐中電灯は、手持ちロッドを含み、前記手持ちロッドの中には反対に開口したランプチャンバが左右に対称的に設置されており、前記ランプチャンバの上側内壁の中には上に開口したランプスライド溝が左右に貫通し且つ連通して設置されており、前記手持ちロッドの中には伸縮装置が設置されており、前記手持ちロッドの上側には取付けボードが設置されており、前記取付けボードの中には連接装置が設置されており、前記手持ちロッドの右側と後側には転向装置が設置されており、前記伸縮装置は前記手持ちロッドの中に設置される上に開口した伸縮棒チャンバを含み、前記伸縮棒チャンバの中には手動軸がスライド且つ回転できるように設置されており、前記手動軸の下端が前記伸縮棒チャンバの下端開口の外に伸び出ており、前記手動軸の中には離脱槽が上に開口して設置されており、前記離脱槽の中には噛合輪が回転できるように設置されており、前記噛合輪の上端にはネジボルトが固定的に連結され、前記手動軸の上端には噛合ボードが固定的に連結され、前記噛合ボードの中には噛合穴が上下に貫通して設置されており、前記噛合穴は前記噛合輪に噛み合って連結され、前記ネジボルトの上端が前記噛合穴を貫通して伸縮棒とネジ山連結され、前記伸縮棒チャンバの円周面側の弓形の内壁の中にはリセット溝が連通して設置されており、前記リセット溝の中にはリセットスライダがスライドできるように設置されており、前記手動軸と前記リセットスライダとがスライドできるように連結され、前記リセットスライダの下端と前記リセット溝の下側内壁との間には均一に分布される四つのリセット撥条が固定的に連結され、前記手動軸の中には電池が固定的に設置され、
前記手動軸を下へ引っ張って前記噛合輪と前記噛合ボードとを噛み合って連結させ、前記手動軸を回し、前記噛合輪によって前記ネジボルトを回転連動させ、それにより前記伸縮棒を上昇させる。
【０００６】
更なる技術方案、前記連接装置は前記伸縮棒の上端に固定的に連結される取付けボードを含み、前記取付けボードの中にはスライダチャンバが左右に対称的に設置されており、前記スライダチャンバの中にはスライダがスライドできるように設置されており、前記スライダのうち中心に近接している一端と前記スライダチャンバのうち中心に近接している一側内壁との間には横向き撥条が固定的に連結され、前記スライダチャンバの上側内壁の中には誘導槽が連通して設置されており、前記誘導槽の中にはガイドスライダがスライドできるように設置されており、前記ガイドスライダの下端と前記スライダの上端との間には縦向き撥条が固定的に連結され、両側の前記スライダの中には反対に開口した係止槽が設置されており、前記スライダチャンバのうち中心から離れている一側内壁の中には反対に開口した係止ブロックチャンバが連通し合って設置されており、前記係止ブロックチャンバの中には係止ブロックがスライドできるように設置されており、前記係止ブロックと前記係止ブロックチャンバの内壁との間の摩擦力は前記縦向き撥条の弾力より大きく且つ前記横向き撥条の弾力より小さく、前記スライダチャンバの下側内壁の中には下に開口した通し溝が連通し合って設置され、前記スライダチャンバの下端には内ランプが固定的に連結され、前記内ランプの中には導電槽が下に開口して設置されており、前記内ランプの下端が前記ランプチャンバの中に挿入されており、前記ランプチャンバの中には外ランプが固定的に設置されており、前記外ランプは前記内ランプのうち中心に離れている一側に位置し、
前記伸縮棒が前記取付けボードを上へスライド連動させ、それにより前記内ランプを上へスライド連動させ、前記横向き撥条と前記縦向き撥条との弾力によって、前記内ランプは前記導電槽によって前記外ランプに電気的に接続される。
【０００７】
前記転向装置は前記手持ちロッドと固定的に連結される固定ボードを含み、前記固定ボードの中には二本の外軸が回転できるように設置されており、前記外軸はそれぞれ前記手持ちロッドの右側と後側に位置し、前記外軸の下端には回転輪が固定的に連結され、前記外軸の中には噛合槽が上に開口して設置されており、前記噛合槽の中には内軸がネジ山により連結され、前記内軸の上側には前記取付けボードに固定的に連結される歯車箱が設置されており、前記歯車箱の中には歯車チャンバが設置されており、前記内軸の上端が前記歯車チャンバの中に伸びており且つ下傘歯車と固定的に連結され、前記下傘歯車のうち中心に近接している一端には連接軸が固定的に連結され、前記取付けボードの中には上に開口したロール槽が設置されており、前記ロール槽の中には自在輪が転がれるように設置されており、前記ロール槽の中には位置制限ブロックがスライドできるように設置されており、前記位置制限ブロックの中には抜き穴が上下に貫通して設置されており、前記連接軸が前記ロール槽の中に伸びており且つ摩擦ボードと固定的に連結され、前記摩擦ボードが前記自在輪の表面に当接し、前記自在輪の上端には集光ボードが固定的に連結され、前記集光ボードの中には集光槽が上に開口して設置されており、前記集光槽の下側内壁には集光灯が固定的に連結され、
前記回転輪を回し、歯車伝動によって前記摩擦ボードを回転連動させ、それにより前記摩擦ボードと前記自在輪との間の摩擦力によって前記自在輪を連動させて転がらせ、それにより前記集光ボードを回転連動させて前記集光灯の角度を調整する。
【０００８】
更なる技術方案、前記噛合ボードの上端には導電ボードが固定的に連結され、前記導電ボードが前記電池に電気的に連結され、前記伸縮棒チャンバの左右両側内壁の中には連接ブロックが対称的に固定的に設置され、
前記連接ブロックが前記外ランプと前記内ランプとに電気的に連結され、前記導電ボードと前記連接ブロックとが接触すると導電し、離脱すると導電しなく、前記集光灯が前記導電ボードに電気的に連結される。
【発明の効果】
【０００９】
有益な効果は：本発明は結構が簡単で、操作が便利で、側部のランプによって全方位の照明を実現できるだけじゃなく、それに集光灯を手動にいかなる角度にも調整でき、それにランプを伸縮でき、死角をもっと深く照明できる。
【図面の簡単な説明】
【００１０】
発明実施例或いは現有の技術の技術方案を更にはっきり説明するため、以下は実施例或いは現有の技術に説明する使われる附図において簡単に紹介する。
【００１１】
【図１】図１は本発明の収縮できる懐中電灯の内部構成模式図
【図２】図２は図１の「Ａ」の拡大模式図
【図３】図３は図１の「Ｂ」の拡大模式図
【図４】図４は図１の「Ｃ」の拡大模式図
【図５】図５は図１の「Ｄ−Ｄ」の方向の構成模式図
【図６】図６は右側の導電溝の拡大模式図
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明における収縮できる懐中電灯は、手持ちロッド１１を含み、前記手持ちロッド１１の中には反対に開口したランプチャンバ１３が左右に対称的に設置されており、前記ランプチャンバ１３の上側内壁の中には上に開口したランプスライド溝２５が左右に貫通し且つ連通して設置されており、前記手持ちロッド１１の中には伸縮装置１００が設置されており、前記手持ちロッド１１の上側には取付けボード１９が設置されており、前記取付けボード１９の中には連接装置１０１が設置されており、前記手持ちロッド１１の右側と後側には転向装置１０２が設置されており、前記伸縮装置１００は前記手持ちロッド１１の中に設置される上に開口した伸縮棒チャンバ２７を含み、前記伸縮棒チャンバ２７の中には手動軸５７がスライド且つ回転できるように設置されており、前記手動軸５７の下端が前記伸縮棒チャンバ２７の下端開口の外に伸び出ており、前記手動軸５７の中には離脱槽６１が上に開口して設置されており、前記離脱槽６１の中には噛合輪５４が回転できるように設置されており、前記噛合輪５４の上端にはネジボルト１７が固定的に連結され、前記手動軸５７の上端には噛合ボード５９が固定的に連結され、前記噛合ボード５９の中には噛合穴５８が上下に貫通して設置されており、前記噛合穴５８は前記噛合輪５４に噛み合って連結され、前記ネジボルト１７の上端が前記噛合穴５８を貫通して伸縮棒１６とネジ山連結され、前記伸縮棒チャンバ２７の円周面側の弓形の内壁の中にはリセット溝５５が連通して設置されており、前記リセット溝５５の中にはリセットスライダ６０がスライドできるように設置されており、前記手動軸５７と前記リセットスライダ６０とがスライドできるように連結され、前記リセットスライダ６０の下端と前記リセット溝５５の下側内壁との間には均一に分布される四つのリセット撥条５６が固定的に連結され、前記手動軸５７の中には電池５３が固定的に設置され、
前記手動軸５７を下へ引っ張って前記噛合輪５４と前記噛合ボード５９とを噛み合って連結させ、前記手動軸５７を回し、前記噛合輪５４によって前記ネジボルト１７を回転連動させ、それにより前記伸縮棒１６を上昇させる。
【００１４】
有益なように、前記連接装置１０１は前記伸縮棒１６の上端に固定的に連結される取付けボード１９を含み、前記取付けボード１９の中にはスライダチャンバ３９が左右に対称的に設置されており、前記スライダチャンバ３９の中にはスライダ３４がスライドできるように設置されており、前記スライダ３４のうち中心に近接している一端と前記スライダチャンバ３９のうち中心に近接している一側内壁との間には横向き撥条４３が固定的に連結され、前記スライダチャンバ３９の上側内壁の中には誘導槽４０が連通して設置されており、前記誘導槽４０の中にはガイドスライダ４１がスライドできるように設置されており、前記ガイドスライダ４１の下端と前記スライダ３４の上端との間には縦向き撥条４２が固定的に連結され、両側の前記スライダ３４の中には反対に開口した係止槽３５が設置されており、前記スライダチャンバ３９のうち中心から離れている一側内壁の中には反対に開口した係止ブロックチャンバ３８が連通し合って設置されており、前記係止ブロックチャンバ３８の中には係止ブロック３７がスライドできるように設置されており、前記係止ブロック３７と前記係止ブロックチャンバ３８の内壁との間の摩擦力は前記縦向き撥条４２の弾力より大きく且つ前記横向き撥条４３の弾力より小さく、前記スライダチャンバ３９の下側内壁の中には下に開口した通し溝３６が連通し合って設置され、前記スライダチャンバ３９の下端には内ランプ１５が固定的に連結され、前記内ランプ１５の中には導電槽２８が下に開口して設置されており、前記内ランプ１５の下端が前記ランプチャンバ１３の中に挿入されており、前記ランプチャンバ１３の中には外ランプ１４が固定的に設置されており、前記外ランプ１４は前記内ランプ１５のうち中心に離れている一側に位置し、
前記伸縮棒１６が前記取付けボード１９を上へスライド連動させ、それにより前記内ランプ１５を上へスライド連動させ、前記横向き撥条４３と前記縦向き撥条４２との弾力によって、前記内ランプ１５は前記導電槽２８によって前記外ランプ１４に電気的に接続される。
【００１５】
有益なように、前記転向装置１０２は前記手持ちロッド１１と固定的に連結される固定ボード３１を含み、前記固定ボード３１の中には二本の外軸３２が回転できるように設置されており、前記外軸３２はそれぞれ前記手持ちロッド１１の右側と後側に位置し、前記外軸３２の下端には回転輪３３が固定的に連結され、前記外軸３２の中には噛合槽３０が上に開口して設置されており、前記噛合槽３０の中には内軸２６がネジ山により連結され、前記内軸２６の上側には前記取付けボード１９に固定的に連結される歯車箱５２が設置されており、前記歯車箱５２の中には歯車チャンバ５０が設置されており、前記内軸２６の上端が前記歯車チャンバ５０の中に伸びており且つ下傘歯車５１と固定的に連結され、前記下傘歯車５１のうち中心に近接している一端には連接軸４７が固定的に連結され、前記取付けボード１９の中には上に開口したロール槽２１が設置されており、前記ロール槽２１の中には自在輪２０が転がれるように設置されており、前記ロール槽２１の中には位置制限ブロック４６がスライドできるように設置されており、前記位置制限ブロック４６の中には抜き穴４５が上下に貫通して設置されており、前記連接軸４７が前記ロール槽２１の中に伸びており且つ摩擦ボード４８と固定的に連結され、前記摩擦ボード４８が前記自在輪２０の表面に当接し、前記自在輪２０の上端には集光ボード２２が固定的に連結され、前記集光ボード２２の中には集光槽２４が上に開口して設置されており、前記集光槽２４の下側内壁には集光灯２３が固定的に連結され、
前記回転輪３３を回し、歯車伝動によって前記摩擦ボード４８を回転連動させ、それにより前記摩擦ボード４８と前記自在輪２０との間の摩擦力によって前記自在輪２０を連動させて転がらせ、それにより前記集光ボード２２を回転連動させて前記集光灯２３の角度を調整する。
【００１６】
有益なように、前記噛合ボード５９の上端には導電ボード１２が固定的に連結され、前記導電ボード１２が前記電池５３に電気的に連結され、前記伸縮棒チャンバ２７の左右両側内壁の中には連接ブロック２９が対称的に固定的に設置されている、
前記連接ブロック２９が前記外ランプ１４と前記内ランプ１５とに電気的に連結され、前記導電ボード１２と前記連接ブロック２９とが接触すると導電し、離脱すると導電しなく、前記集光灯２３が前記導電ボード１２に電気的に連結される。
【００１７】
使用する時、手動軸５７を下へ引っ張って噛合輪５４と噛合ボード５９とを噛合連結させ、同時にリセットスライダ６０を押え、手動軸５７を回し、それにより噛合輪５４によってネジボルト１７を回転連動させ、それにより伸縮棒１６を上昇連動させ、それにより取付けボード１９を上昇連動させ、同時に内軸２６を連動させて伸び出させ、同時に取付けボード１９がスライダ３４によって内ランプ１５を上昇連動させ、内ランプ１５と外ランプ１４が接触状態から離脱する時、横向き撥条４３によって左右両側の内ランプ１５を連動させてそれぞれ両側に向かってスライドさせ、これにより内ランプ１５が外ランプ１４の上端面の突起部分を沿ってスライドし、導電槽２８が外ランプ１４の上端の真上にスライドする時、縦向き撥条４２の弾力によって外ランプ１４の上端の突起部分が導電槽２８の中に挿し込み、この時係止ブロック３７がスライダ３４に当接し、手動軸５７を推し、それにより導電ボード１２を連接ブロック２９と接触させて導電を行わせ、この時外ランプ１４と、内ランプ１５及び集光灯２３を灯し、この時回転輪３３を回すことができ、歯車伝動によって連接軸４７を回転連動させ、それにより摩擦ボード４８を回転連動させ、摩擦ボード４８と自在輪２０との間の摩擦力によって自在輪２０を連動させて転がらせ、それにより集光灯２３の照明角度を調整する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181791.tif 000003
【図２】
2020181791.tif 000004
【図３】
2020181791.tif 000005
【図４】
2020181791.tif 000006
【図５】
2020181791.tif 000007
【図６】
2020181791.tif 000008
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
収縮できる懐中電灯であって、手持ちロッドを含み、前記手持ちロッドの中には開口方向が逆であるランプチャンバが左右に対称的に設置されており、前記ランプチャンバの上側内壁の中には上に開口したランプスライド溝が左右に貫通し且つ連通して設置されており、前記手持ちロッドの中には伸縮装置が設置されており、前記手持ちロッドの上側には取付けボードが設置されており、前記取付けボードの中には連接装置が設置されており、前記手持ちロッドの右側と後側には転向装置が設置されており、前記伸縮装置は前記手持ちロッドの中に設置される上に開口した伸縮棒チャンバを含み、前記伸縮棒チャンバの中には手動軸がスライド且つ回転できるように設置されており、前記手動軸の下端が前記伸縮棒チャンバの下端開口の外に伸び出ており、前記手動軸の中には離脱槽が上に開口して設置されており、前記離脱槽の中には噛合輪が回転できるように設置されており、前記噛合輪の上端にはネジボルトが固定的に連結され、前記手動軸の上端には噛合ボードが固定的に連結され、前記噛合ボードの中には噛合穴が上下に貫通して設置されており、前記噛合穴は前記噛合輪に噛み合って連結され、前記ネジボルトの上端が前記噛合穴を貫通して伸縮棒とネジ山連結され、前記伸縮棒チャンバの円周面側の弓形の内壁の中にはリセット溝が連通して設置されており、前記リセット溝の中にはリセットスライダがスライドできるように設置されており、前記手動軸と前記リセットスライダとがスライドできるように連結され、前記リセットスライダの下端と前記リセット溝の下側内壁との間には均一に分布され３４る四つのリセット撥条が固定的に連結され、前記手動軸の中には電池が固定的に設置され、
前記手動軸を下へ引っ張って前記噛合輪と前記噛合ボードとを噛み合って連結させ、前記手動軸を回し、前記噛合輪によって前記ネジボルトを回転連動させ、それにより前記伸縮棒を上昇させることを特徴とする収縮できる懐中電灯。
【請求項２】
前記連接装置は前記伸縮棒の上端に固定的に連結される取付けボードを含み、前記取付けボードの中にはスライダチャンバが左右に対称的に設置されており、前記スライダチャンバの中にはスライダがスライドできるように設置されており、前記スライダのうち中心に近接している一端と前記スライダチャンバのうち中心に近接している一側内壁との間には横向き撥条が固定的に連結され、前記スライダチャンバの上側内壁の中には誘導槽が連通して設置されており、前記誘導槽の中にはガイドスライダがスライドできるように設置されており、前記ガイドスライダの下端と前記スライダの上端との間には縦向き撥条が固定的に連結され、両側の前記スライダの中には反対に開口した係止槽が設置されており、前記スライダチャンバのうち中心から離れている一側内壁の中には反対に開口した係止ブロックチャンバが連通し合って設置されており、前記係止ブロックチャンバの中には係止ブロックがスライドできるように設置されており、前記係止ブロックと前記係止ブロックチャンバの内壁との間の摩擦力は前記縦向き撥条の弾力より大きく且つ前記横向き撥条の弾力より小さく、前記スライダチャンバの下側内壁の中には下に開口した通し溝が連通し合って設置され、前記スライダチャンバの下端には内ランプが固定的に連結され、前記内ランプの中には導電槽が下に開口して設置されており、前記内ランプの下端が前記ランプチャンバの中に挿入されており、前記ランプチャンバの中には外ランプが設置され、両側の前記外ランプが両側の前記内ランプの外側に位置し、両側の前記内ランプが上に移動し前記外ランプとの当接から離脱するとき、前記スライダが前記横向き撥条の弾力によりそれぞれ両側に向かって移動でき、それにより前記スライダの下側端面に固定的に連結される前記内ランプを移動連動させることができ、
前記伸縮棒が前記取付けボードを上へスライド連動させ、それにより前記内ランプを上へスライド連動させ、前記横向き撥条と前記縦向き撥条との弾力によって、前記内ランプは前記導電槽によって前記外ランプに電気的に接続され、両側の前記スライダがそれぞれ外側に向かって移動する過程では、前記係止ブロックにおいて前記スライダに近接している一端が前記係止槽に挿入されるとき、前記係止ブロックの上側端面と前記係止槽の上側内壁との当接により前記スライダを前記スライダチャンバの中で上に移動させることができ、それにより前記内ランプを上に移動連動させることを特徴とする請求項１に記載の収縮できる懐中電灯。
【請求項３】
前記転向装置は前記手持ちロッドと固定的に連結される固定ボードを含み、前記固定ボードの中には二本の外軸が回転できるように設置されており、前記外軸はそれぞれ前記手持ちロッドの右側と後側に位置し、前記外軸の下端には回転輪が固定的に連結され、前記外軸の中には噛合槽が上に開口して設置されており、前記噛合槽の中には内軸がネジ山により連結され、前記内軸の上側には前記取付けボードに固定的に連結される歯車箱が設置されており、前記歯車箱の中には歯車チャンバが設置されており、前記内軸の上端が前記歯車チャンバの中に伸びており且つ下傘歯車と固定的に連結され、前記下傘歯車のうち中心に近接している一端には連接軸が固定的に連結され、前記取付けボードの中には上に開口したロール槽が設置されており、前記ロール槽の中には自在輪が転がれるように設置されており、前記ロール槽の中には位置制限ブロックがスライドできるように設置されており、前記位置制限ブロックの中には抜き穴が上下に貫通して設置されており、前記連接軸が前記ロール槽の中に伸びており且つ摩擦ボードと固定的に連結され、前記摩擦ボードが前記自在輪の表面に当接し、前記自在輪の上端には集光ボードが固定的に連結され、前記集光ボードの中には集光槽が上に開口して設置されており、前記集光槽の下側内壁には集光灯が固定的に連結され、
前記回転輪を回し、歯車伝動によって前記摩擦ボードを回転連動させ、それにより前記摩擦ボードと前記自在輪との間の摩擦力によって前記自在輪を連動させて転がらせ、それにより前記集光ボードを回転連動させて前記集光灯の角度を調整することを特徴とする請求項２に記載の収縮できる懐中電灯。
【請求項４】
前記噛合ボードの上端には導電ボードが固定的に連結され、前記導電ボードが前記電池に電気的に連結され、前記伸縮棒チャンバの左右両側内壁の中には連接ブロックが対称的に固定的に設置され、
前記連接ブロックが前記外ランプと前記内ランプとに電気的に連結され、前記導電ボードと前記連接ブロックとが接触すると導電し、離脱すると導電しなく、前記集光灯が前記導電ボードに電気的に連結されることを特徴とする請求項３に記載の収縮できる懐中電灯。
【手続補正２】
【補正対象書類名】明細書
【補正対象項目名】全文
【補正方法】変更
【補正の内容】
【発明の詳細な説明】
【技術分野】
【０００１】
本発明は照明の分野を取り上げて、具体的には収縮できる懐中電灯である。
【背景技術】
【０００２】
部屋の中には光が届けない狭い死角があり、物品が死角に落ちたら、一般的な懐中電灯は死角をはっきり照らせなく、そのため光を集めて収縮できる懐中電灯を設計する必要があり、本装置は全面的に照らせるだけじゃなく、それに光を手動で任意な角度に調節でき、ランプを伸縮でき、死角をもっと深く照らせる。
【先行技術文献】
【特許文献】
【０００３】
【特許文献１】中国特許出願公開第１０３４２３６０５号明細書
【発明の概要】
【発明が解決しようとする課題】
【０００４】
本発明の解決すべきの技術問題は収縮できる懐中電灯を提供し、それが上記現有の技術の問題を解決できる。
【課題を解決するための手段】
【０００５】
本発明における収縮できる懐中電灯は、手持ちロッドを含み、前記手持ちロッドの中には開口方向が逆であるランプチャンバが左右に対称的に設置されており、前記ランプチャンバの上側内壁の中には上に開口したランプスライド溝が左右に貫通し且つ連通して設置されており、前記手持ちロッドの中には伸縮装置が設置されており、前記手持ちロッドの上側には取付けボードが設置されており、前記取付けボードの中には連接装置が設置されており、前記手持ちロッドの右側と後側には転向装置が設置されており、前記伸縮装置は前記手持ちロッドの中に設置される上に開口した伸縮棒チャンバを含み、前記伸縮棒チャンバの中には手動軸がスライド且つ回転できるように設置されており、前記手動軸の下端が前記伸縮棒チャンバの下端開口の外に伸び出ており、前記手動軸の中には離脱槽が上に開口して設置されており、前記離脱槽の中には噛合輪が回転できるように設置されており、前記噛合輪の上端にはネジボルトが固定的に連結され、前記手動軸の上端には噛合ボードが固定的に連結され、前記噛合ボードの中には噛合穴が上下に貫通して設置されており、前記噛合穴は前記噛合輪に噛み合って連結され、前記ネジボルトの上端が前記噛合穴を貫通して伸縮棒とネジ山連結され、前記伸縮棒チャンバの円周面側の弓形の内壁の中にはリセット溝が連通して設置されており、前記リセット溝の中にはリセットスライダがスライドできるように設置されており、前記手動軸と前記リセットスライダとがスライドできるように連結され、前記リセットスライダの下端と前記リセット溝の下側内壁との間には均一に分布される四つのリセット撥条が固定的に連結され、前記手動軸の中には電池が固定的に設置され、
前記手動軸を下へ引っ張って前記噛合輪と前記噛合ボードとを噛み合って連結させ、前記手動軸を回し、前記噛合輪によって前記ネジボルトを回転連動させ、それにより前記伸縮棒を上昇させる。
【０００６】
更なる技術方案、前記連接装置は前記伸縮棒の上端に固定的に連結される取付けボードを含み、前記取付けボードの中にはスライダチャンバが左右に対称的に設置されており、前記スライダチャンバの中にはスライダがスライドできるように設置されており、前記スライダのうち中心に近接している一端と前記スライダチャンバのうち中心に近接している一側内壁との間には横向き撥条が固定的に連結され、前記スライダチャンバの上側内壁の中には誘導槽が連通して設置されており、前記誘導槽の中にはガイドスライダがスライドできるように設置されており、前記ガイドスライダの下端と前記スライダの上端との間には縦向き撥条が固定的に連結され、両側の前記スライダの中には反対に開口した係止槽が設置されており、前記スライダチャンバのうち中心から離れている一側内壁の中には反対に開口した係止ブロックチャンバが連通し合って設置されており、前記係止ブロックチャンバの中には係止ブロックがスライドできるように設置されており、前記係止ブロックと前記係止ブロックチャンバの内壁との間の摩擦力は前記縦向き撥条の弾力より大きく且つ前記横向き撥条の弾力より小さく、前記スライダチャンバの下側内壁の中には下に開口した通し溝が連通し合って設置され、前記スライダチャンバの下端には内ランプが固定的に連結され、前記内ランプの中には導電槽が下に開口して設置されており、前記内ランプの下端が前記ランプチャンバの中に挿入されており、前記ランプチャンバの中には外ランプが設置され、両側の前記外ランプが両側の前記内ランプの外側に位置し、両側の前記内ランプが上に移動し前記外ランプとの当接から離脱するとき、前記スライダが前記横向き撥条の弾力によりそれぞれ両側に向かって移動でき、それにより前記スライダの下側端面に固定的に連結される前記内ランプを移動連動させることができ、
前記伸縮棒が前記取付けボードを上へスライド連動させ、それにより前記内ランプを上へスライド連動させ、前記横向き撥条と前記縦向き撥条との弾力によって、前記内ランプは前記導電槽によって前記外ランプに電気的に接続され、両側の前記スライダがそれぞれ外側に向かって移動する過程では、前記係止ブロックにおいて前記スライダに近接している一端が前記係止槽に挿入されるとき、前記係止ブロックの上側端面と前記係止槽の上側内壁との当接により前記スライダを前記スライダチャンバの中で上に移動させることができ、それにより前記内ランプを上に移動連動させる。
【０００７】
前記転向装置は前記手持ちロッドと固定的に連結される固定ボードを含み、前記固定ボードの中には二本の外軸が回転できるように設置されており、前記外軸はそれぞれ前記手持ちロッドの右側と後側に位置し、前記外軸の下端には回転輪が固定的に連結され、前記外軸の中には噛合槽が上に開口して設置されており、前記噛合槽の中には内軸がネジ山により連結され、前記内軸の上側には前記取付けボードに固定的に連結される歯車箱が設置されており、前記歯車箱の中には歯車チャンバが設置されており、前記内軸の上端が前記歯車チャンバの中に伸びており且つ下傘歯車と固定的に連結され、前記下傘歯車のうち中心に近接している一端には連接軸が固定的に連結され、前記取付けボードの中には上に開口したロール槽が設置されており、前記ロール槽の中には自在輪が転がれるように設置されており、前記ロール槽の中には位置制限ブロックがスライドできるように設置されており、前記位置制限ブロックの中には抜き穴が上下に貫通して設置されており、前記連接軸が前記ロール槽の中に伸びており且つ摩擦ボードと固定的に連結され、前記摩擦ボードが前記自在輪の表面に当接し、前記自在輪の上端には集光ボードが固定的に連結され、前記集光ボードの中には集光槽が上に開口して設置されており、前記集光槽の下側内壁には集光灯が固定的に連結され、
前記回転輪を回し、歯車伝動によって前記摩擦ボードを回転連動させ、それにより前記摩擦ボードと前記自在輪との間の摩擦力によって前記自在輪を連動させて転がらせ、それにより前記集光ボードを回転連動させて前記集光灯の角度を調整する。
【０００８】
更なる技術方案、前記噛合ボードの上端には導電ボードが固定的に連結され、前記導電ボードが前記電池に電気的に連結され、前記伸縮棒チャンバの左右両側内壁の中には連接ブロックが対称的に固定的に設置され、
前記連接ブロックが前記外ランプと前記内ランプとに電気的に連結され、前記導電ボードと前記連接ブロックとが接触すると導電し、離脱すると導電しなく、前記集光灯が前記導電ボードに電気的に連結される。
【発明の効果】
【０００９】
有益な効果は：本発明は結構が簡単で、操作が便利で、側部のランプによって全方位の照明を実現できるだけじゃなく、それに集光灯を手動にいかなる角度にも調整でき、それにランプを伸縮でき、死角をもっと深く照明できる。
【図面の簡単な説明】
【００１０】
発明実施例或いは現有の技術の技術方案を更にはっきり説明するため、以下は実施例或いは現有の技術に説明する使われる附図において簡単に紹介する。
【００１１】
【図１】図１は本発明の収縮できる懐中電灯の内部構成模式図
【図２】図２は図１の「Ａ」の拡大模式図
【図３】図３は図１の「Ｂ」の拡大模式図
【図４】図４は図１の「Ｃ」の拡大模式図
【図５】図５は図１の「Ｄ−Ｄ」の方向の構成模式図
【図６】図６は右側の導電溝の拡大模式図
【発明を実施するための形態】
【００１２】
以下は図１−５について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−５を参考して、本発明における収縮できる懐中電灯は、手持ちロッド１１を含み、前記手持ちロッド１１の中には開口方向が逆であるランプチャンバ１３が左右に対称的に設置されており、前記ランプチャンバ１３の上側内壁の中には上に開口したランプスライド溝２５が左右に貫通し且つ連通して設置されており、前記手持ちロッド１１の中には伸縮装置１００が設置されており、前記手持ちロッド１１の上側には取付けボード１９が設置されており、前記取付けボード１９の中には連接装置１０１が設置されており、前記手持ちロッド１１の右側と後側には転向装置１０２が設置されており、前記伸縮装置１００は前記手持ちロッド１１の中に設置される上に開口した伸縮棒チャンバ２７を含み、前記伸縮棒チャンバ２７の中には手動軸５７がスライド且つ回転できるように設置されており、前記手動軸５７の下端が前記伸縮棒チャンバ２７の下端開口の外に伸び出ており、前記手動軸５７の中には離脱槽６１が上に開口して設置されており、前記離脱槽６１の中には噛合輪５４が回転できるように設置されており、前記噛合輪５４の上端にはネジボルト１７が固定的に連結され、前記手動軸５７の上端には噛合ボード５９が固定的に連結され、前記噛合ボード５９の中には噛合穴５８が上下に貫通して設置されており、前記噛合穴５８は前記噛合輪５４に噛み合って連結され、前記ネジボルト１７の上端が前記噛合穴５８を貫通して伸縮棒１６とネジ山連結され、前記伸縮棒チャンバ２７の円周面側の弓形の内壁の中にはリセット溝５５が連通して設置されており、前記リセット溝５５の中にはリセットスライダ６０がスライドできるように設置されており、前記手動軸５７と前記リセットスライダ６０とがスライドできるように連結され、前記リセットスライダ６０の下端と前記リセット溝５５の下側内壁との間には均一に分布される四つのリセット撥条５６が固定的に連結され、前記手動軸５７の中には電池５３が固定的に設置され、
前記手動軸５７を下へ引っ張って前記噛合輪５４と前記噛合ボード５９とを噛み合って連結させ、前記手動軸５７を回し、前記噛合輪５４によって前記ネジボルト１７を回転連動させ、それにより前記伸縮棒１６を上昇させる。
【００１４】
有益なように、前記連接装置１０１は前記伸縮棒１６の上端に固定的に連結される取付けボード１９を含み、前記取付けボード１９の中にはスライダチャンバ３９が左右に対称的に設置されており、前記スライダチャンバ３９の中にはスライダ３４がスライドできるように設置されており、前記スライダ３４のうち中心に近接している一端と前記スライダチャンバ３９のうち中心に近接している一側内壁との間には横向き撥条４３が固定的に連結され、前記スライダチャンバ３９の上側内壁の中には誘導槽４０が連通して設置されており、前記誘導槽４０の中にはガイドスライダ４１がスライドできるように設置されており、前記ガイドスライダ４１の下端と前記スライダ３４の上端との間には縦向き撥条４２が固定的に連結され、両側の前記スライダ３４の中には反対に開口した係止槽３５が設置されており、前記スライダチャンバ３９のうち中心から離れている一側内壁の中には反対に開口した係止ブロックチャンバ３８が連通し合って設置されており、前記係止ブロックチャンバ３８の中には係止ブロック３７がスライドできるように設置されており、前記係止ブロック３７と前記係止ブロックチャンバ３８の内壁との間の摩擦力は前記縦向き撥条４２の弾力より大きく且つ前記横向き撥条４３の弾力より小さく、前記スライダチャンバ３９の下側内壁の中には下に開口した通し溝３６が連通し合って設置され、前記スライダチャンバ３９の下端には内ランプ１５が固定的に連結され、前記内ランプ１５の中には導電槽２８が下に開口して設置されており、前記内ランプ１５の下端が前記ランプチャンバ１３の中に挿入されており、前記ランプチャンバ１３の中には外ランプ１４が設置され、両側の前記外ランプ１４が両側の前記内ランプ１５の外側に位置し、両側の前記内ランプ１５が上に移動し前記外ランプ１４との当接から離脱するとき、前記スライダ３４が前記横向き撥条４３の弾力によりそれぞれ両側に向かって移動でき、それにより前記スライダ３４の下側端面に固定的に連結される前記内ランプ１５を移動連動させることができ、
前記伸縮棒１６が前記取付けボード１９を上へスライド連動させ、それにより前記内ランプ１５を上へスライド連動させ、前記横向き撥条４３と前記縦向き撥条４２との弾力によって、前記内ランプ１５は前記導電槽２８によって前記外ランプ１４に電気的に接続され、両側の前記スライダ３４がそれぞれ外側に向かって移動する過程では、前記係止ブロック３７において前記スライダ３４に近接している一端が前記係止槽３５に挿入されるとき、前記係止ブロック３７の上側端面と前記係止槽３５の上側内壁との当接により前記スライダ３４を前記スライダチャンバ３９の中で上に移動させることができ、それにより前記内ランプ１５を上に移動連動させる。
【００１５】
有益なように、前記転向装置１０２は前記手持ちロッド１１と固定的に連結される固定ボード３１を含み、前記固定ボード３１の中には二本の外軸３２が回転できるように設置されており、前記外軸３２はそれぞれ前記手持ちロッド１１の右側と後側に位置し、前記外軸３２の下端には回転輪３３が固定的に連結され、前記外軸３２の中には噛合槽３０が上に開口して設置されており、前記噛合槽３０の中には内軸２６がネジ山により連結され、前記内軸２６の上側には前記取付けボード１９に固定的に連結される歯車箱５２が設置されており、前記歯車箱５２の中には歯車チャンバ５０が設置されており、前記内軸２６の上端が前記歯車チャンバ５０の中に伸びており且つ下傘歯車５１と固定的に連結され、前記下傘歯車５１のうち中心に近接している一端には連接軸４７が固定的に連結され、前記取付けボード１９の中には上に開口したロール槽２１が設置されており、前記ロール槽２１の中には自在輪２０が転がれるように設置されており、前記ロール槽２１の中には位置制限ブロック４６がスライドできるように設置されており、前記位置制限ブロック４６の中には抜き穴４５が上下に貫通して設置されており、前記連接軸４７が前記ロール槽２１の中に伸びており且つ摩擦ボード４８と固定的に連結され、前記摩擦ボード４８が前記自在輪２０の表面に当接し、前記自在輪２０の上端には集光ボード２２が固定的に連結され、前記集光ボード２２の中には集光槽２４が上に開口して設置されており、前記集光槽２４の下側内壁には集光灯２３が固定的に連結され、
前記回転輪３３を回し、歯車伝動によって前記摩擦ボード４８を回転連動させ、それにより前記摩擦ボード４８と前記自在輪２０との間の摩擦力によって前記自在輪２０を連動させて転がらせ、それにより前記集光ボード２２を回転連動させて前記集光灯２３の角度を調整する。
【００１６】
有益なように、前記噛合ボード５９の上端には導電ボード１２が固定的に連結され、前記導電ボード１２が前記電池５３に電気的に連結され、前記伸縮棒チャンバ２７の左右両側内壁の中には連接ブロック２９が対称的に固定的に設置されている、
前記連接ブロック２９が前記外ランプ１４と前記内ランプ１５とに電気的に連結され、前記導電ボード１２と前記連接ブロック２９とが接触すると導電し、離脱すると導電しなく、前記集光灯２３が前記導電ボード１２に電気的に連結される。
【００１７】
使用する時、手動軸５７を下へ引っ張って噛合輪５４と噛合ボード５９とを噛合連結させ、同時にリセットスライダ６０を押え、手動軸５７を回し、それにより噛合輪５４によってネジボルト１７を回転連動させ、それにより伸縮棒１６を上昇連動させ、それにより取付けボード１９を上昇連動させ、同時に内軸２６を連動させて伸び出させ、同時に取付けボード１９がスライダ３４によって内ランプ１５を上昇連動させ、内ランプ１５と外ランプ１４が接触状態から離脱する時、横向き撥条４３によって左右両側の内ランプ１５を連動させてそれぞれ両側に向かってスライドさせ、これにより内ランプ１５が外ランプ１４の上端面の突起部分を沿ってスライドし、導電槽２８が外ランプ１４の上端の真上にスライドする時、縦向き撥条４２の弾力によって外ランプ１４の上端の突起部分が導電槽２８の中に挿し込み、この時係止ブロック３７がスライダ３４に当接し、手動軸５７を推し、それにより導電ボード１２を連接ブロック２９と接触させて導電を行わせ、この時外ランプ１４と、内ランプ１５及び集光灯２３を灯し、この時回転輪３３を回すことができ、歯車伝動によって連接軸４７を回転連動させ、それにより摩擦ボード４８を回転連動させ、摩擦ボード４８と自在輪２０との間の摩擦力によって自在輪２０を連動させて転がらせ、それにより集光灯２３の照明角度を調整する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。